(57)【要約】      （修正有）【課題】モバイルインターネット設備で実行できるアプリケーションの間にデータを共有するルーター設備及びその方法とシステムを提供する。【解決手段】設備は、無線ＬＡＮモジュール２０１と、上記無線ＬＡＮモジュールを介して複数の無線インターネット設備と接続を構築するデータ共有サーバモジュール２０５と、上記接続に上記無線インターネット設備で実行するアプリケーションとデータ通信を行い、上記データ通信をモニターして当該アプリケーションの共有データを取得するデータ共有業務モジュール２０６と、メモリ２０２と、を含み、上記データ共有サーバモジュールは上記共有データを上記メモリにキャッシングする。上記実施例により、無線インターネットアクセス設備のローカル接続状態を自動的に動的に感知でき、アプリケーションのデータを自動的にリアルタイムに共有できる。【選択図】図１
2013232894.tif 000002
【特許請求の範囲】
【請求項１】
ルーター設備であって、
無線ＬＡＮモジュールと、
上記無線ＬＡＮモジュールを介して複数の無線インターネット設備と接続を構築するデータ共有サーバモジュールと、
上記接続に上記無線インターネット設備で実行するアプリケーションとデータ通信を行い、上記データ通信をモニターして当該アプリケーションの共有データを取得するデータ共有業務モジュールと、
メモリと、を含み、
上記データ共有サーバモジュールは上記共有データを上記メモリにキャッシングするルーター設備。
【請求項２】
上記データ共有サーバモジュールは、上記データ共有業務モジュールの予定イベントをモニターし、モニターした予定イベントに応じて、上記メモリに記憶されている共有データを上記無線インターネット設備に送信する請求項１に記載のルーター設備。
【請求項３】
上記アプリケーションは、スマートフォンアプリケーションである請求項１に記載のルーター設備。
【請求項４】
上記データ共有サーバモジュールは、上記無線ＬＡＮモジュールのためにデーモンを設立し、上記データ共有業務モジュールとローカルソケット接続を行うことにより、上記データ通信をモニターする請求項３に記載のルーター設備。
【請求項５】
上記データ共有サーバモジュールは、上記共有データに応じて、上記インターネットアクセス設備のために無線ＷＡＮ接続を構築する請求項３に記載のルーター設備。
【請求項６】
上記データ共有サーバモジュールは、無線ＷＡＮモジュールによりデータを登録して会社メールサーバに接続し、上記共有データを上記会社メールサーバに送信する請求項３に記載のルーター設備。
【請求項７】
上記アプリケーションは、ネットワークアプリケーションである請求項１に記載のルーター設備。
【請求項８】
上記データ共有サーバモジュールは、上記無線ＬＡＮモジュールのためにデーモンを設立し、上記ネットワークアプリケーションのローカルポートをモニターする請求項７に記載のルーター設備。
【請求項９】
上記データ共有サーバモジュールは、上記共有データに応じて、上記インターネットアクセス設備のために無線ＷＡＮ接続を構築する請求項７に記載のルーター設備。
【請求項１０】
上記データ共有サーバモジュールは、さらに上記ＷＡＮ接続が利用できるかを判断し、利用できるとクラウド業務とのインタラクティブ操作を実行する請求項９に記載のルーター設備。
【請求項１１】
ルーター設備のための方法であって、
無線ＬＡＮモジュールを介して複数の無線インターネット設備と接続を構築するステップと、
上記接続に上記無線インターネット設備で実行するアプリケーションとデータ通信を行うステップと、
上記データ通信をモニターして、上記アプリケーションの共有データを取得するステップと、
上記共有データをメモリにキャッシングするステップと、を含む方法。
【請求項１２】
上記データ通信を行うデータ共有業務モジュールの予定イベントをモニターし、モニターした予定イベントに応じて、上記メモリに記憶されている上記共有データを上記無線インターネット設備に送信するステップをさらに含む請求項１１に記載の方法。
【請求項１３】
上記アプリケーションは、スマートフォンアプリケーションである請求項１１に記載の方法。
【請求項１４】
上記無線ＬＡＮモジュールのためにデーモンを設立し、ローカルソケット接続により、上記データ通信をモニターする請求項１３に記載の方法。
【請求項１５】
上記共有データに応じて、上記インターネットアクセス設備のために無線ＷＡＮ接続を構築するステップをさらに含む請求項１３に記載の方法。
【請求項１６】
無線ＷＡＮモジュールによりデータを登録して会社メールサーバに接続し、上記共有データを上記会社メールサーバに送信するステップをさらに含む請求項１３に記載の方法。
【請求項１７】
上記アプリケーションは、ネットワークアプリケーションである請求項１１に記載の方法。
【請求項１８】
上記無線ＬＡＮモジュールのためにデーモンを設立し、上記ネットワークアプリケーションのローカルポートをモニターする請求項１７に記載の方法。
【請求項１９】
上記共有データに応じて、上記インターネットアクセス設備のために無線ＷＡＮ接続を構築するステップをさらに含む請求項１７に記載の方法。
【請求項２０】
上記ＷＡＮ接続が利用できるかを判断し、利用できるとクラウド業務とのインタラクティブ操作を実行するステップをさらに含む請求項１９に記載の方法。
【請求項２１】
データ通信システムであって、請求項１〜１０の何れか一項に記載のルーター設備を含むデータ通信システム。
【発明の詳細な説明】
【技術分野】
【０００１】
本発明の実施例は、無線インターネット技術に係り、具体的に、モバイルインターネット設備で実行可能なアプリケーションの間にデータを共有するルーター設備及びその方法とシステムに係る。
【背景技術】
【０００２】
モバイルインターネットアクセスノード（Mobile  Internet  Access  Node、ＭｉＡＮ）は、同時に無線ＷＡＮと無線ＬＡＮアクセス機能を有する設備である。ＭｉＡＮに配置される無線ＷＡＮインターフェースは、どの標準化のセルラネットワークシステムであってもよく、例えば、WCDMA（登録商標）、CDMA、WiMAX、LTE、LTE-A等である。ＭｉＡＮに配置される無線ＬＡＮインターフェースは、802.11ＷｉＦｉに基づくことができる。
【０００３】
無線インターネット設備（Wireless  Internet  Device、ＷｉＤ）は、無線ＬＡＮインターフェースを有し、複数の異なるインターネットアプリケーションをサポートする端末設備であり、例えば、スマートフォン、タブレットＰＣ、ノートパソコン等である。ＷｉＤとＭｉＡＮの間でＷｉＦｉにより接続され、ＭｉＡＮの無線ＷＡＮインターフェースを介してモバイルインターネットにアクセスする。
【０００４】
既存のルーター設備は、複数のＷｉＤ設備をアクセスするとともに、データを保存するものとしてローカルＷｉＤ設備の間で共有させるが、例えば、スマートフォンアプリケーション（例えば、Androidアプリケーション）とネットワークアプリケーション（例えば、Ｗｅｂブラウザー）におけるデータ共有を実現できない。既存のAndroidアプリケーションとＷｅｂアプリケーションはサーバの業務手配により、複数のＷｉＤ設備間のユーザアカウントに基づくデータ共有を提供できるが、ＷｉＤ設備のローカル接続状態を自動的に感知して、自動的にリアルタイムにデータを共有することができない。
【発明の概要】
【発明が解決しようとする課題】
【０００５】
従来技術の一つ或いは複数の問題を考えて、モバイルインターネット設備で実行できるアプリケーションの間にデータを共有するルーター設備及びその方法を提出する。
【課題を解決するための手段】
【０００６】
本発明の一つの実施例によると、ルーター設備を提出し、無線ＬＡＮモジュールと、上記無線ＬＡＮモジュールを介して複数の無線インターネット設備と接続を構築するデータ共有サーバモジュールと、上記接続に上記無線インターネット設備で実行するアプリケーションとデータ通信を行い、上記データ通信をモニターして当該アプリケーションの共有データを取得するデータ共有業務モジュールと、メモリと、を含み、上記データ共有サーバモジュールは上記共有データを上記メモリにキャッシングする。
【０００７】
本発明の他の実施例によると、ルーター設備のための方法を提出し、無線ＬＡＮモジュールを介して複数の無線インターネット設備と接続を構築するステップと、上記接続に上記無線インターネット設備で実行するアプリケーションとデータ通信を行うステップと、上記データ通信をモニターして、上記アプリケーションの共有データを取得するステップと、上記共有データをメモリにキャッシングするステップと、を含む。
【０００８】
上記実施例の方案により、無線インターネットアクセス設備のローカル接続状態を自動的に動的に感知でき、アプリケーションのデータを自動的にリアルタイムに共有できる。
【０００９】
以下、図面に基づいて本技術の実施例に対して詳細に説明することにより、本技術の上記とその他の目的、特性、長所はより明らかになるだろう。なお、同じ記号は同じ構造のユニットを指定する。
【図面の簡単な説明】
【００１０】
【図１】本発明の一つの実施例に係るデータ通信システムの構造模式図を示す。
【図２】本発明の実施例に係るルーター設備を記述する構造模式図である。
【図３】本発明の実施例に係るデータ通信システムの例示操作を記述するフローチャートである。
【図４】本発明の実施例に係るデータ通信システムの他の例示操作を記述するフローチャートである。
【図５】本発明の実施例に係るデータ通信システムのさらに他の例示操作を記述するフローチャートである。
【図６】本発明の実施例に係るルーター設備の応用実例を示す。
【図７】本発明の実施例に係るルーター設備の他の応用実例を示す。
【発明を実施するための形態】
【００１１】
以下、本発明の具体的実施例を詳細に説明し、なお、ここで説明する実施例は例を挙げて説明するためであり、本発明を限定しない。以下の説明で、本発明に対する徹底理解を提供するために、多くの特定の細部を記述した。しかし、当業者にとって、これらの特定細部を利用して本発明を実行する必要がないことは明らかである。他の実例で、本発明を明確にするために、公知の回路、材料或いは方法は具体的に説明していない。
【００１２】
明細書全体で、「一つの実施例」、「実施例」、「一つの例示」、或いは「例示」の言及は、当該実施例或いは例示で記述した特定特徴、構造或いは特性を結び付けで、本発明の少なくとも一つの実施例に含まれる。よって、明細書全体の各箇所で現れた「一つの実施例で」、「実施例で」、「一つの例示」、「例示」は、必ず同じ実施例或いは例示を指すわけではない。なお、いかなる適当な組み合わせ及び/又はサブ組み合わせで、特定の特徴、構造或いは特性を一つ或いは複数の実施例或いは例示に組み合わせることができる。また、当業者は、ここで使用する用語「及び/又は」は一つ或いは複数の関連の項目のいかなる、全ての組み合わせを含むことを認識すべきである。
【００１３】
本発明の一つの実施例によると、ルーター設備は、自動的に無線インターネット設備の接続状態を感知し、無線インターネット設備で実行するアプリケーションの関連データを取得し、複数の無線インターネット設備のアプリケーションにおけるデータの共有を実現する。
【００１４】
例えば、一つの実施例で、ルーター設備は、データ共有サーバモジュールとデータ共有業務モジュールを含むことができる。データ共有サーバモジュールは、無線ＬＡＮモジュールを介して複数の無線インターネット設備ＷｉＤと接続を構築する。データ共有業務モジュールは、当該接続に、無線インターネット設備ＷｉＤで実行するアプリケーション（例えば共有クリップボードアプリケーションのようなスマートフォンアプリケーション或いは例えばブラウザープラグインのようなネットワークアプリケーション）とデータ通信を行う。データ共有サーバモジュールは、上記データ通信をモニターして、上記アプリケーションの共有データを取得する。共有データをモニターした場合、データ共有サーバモジュールは共有データをメモリにキャッシングする。
【００１５】
他の実施例によると、データ共有サーバモジュールは、データ共有業務モジュールの予定イベントをモニターし、モニターした予定イベントに応じてメモリに記憶されている共有データを無線インターネット設備に送信する。
【００１６】
図１に、本発明の一つの実施例に係るデータ通信システムの構造模式図を示す。
【００１７】
図１に示すように、複数のモバイルインターネット設備（例えば、スマートフォン）１０１と１０２或いはノートブック１０ｎで対応するアプリケーションを実行する。例えば、モバイルインターネット端末１０１と１０２でアプリケーションApp1とApp2を実行でき、ノートブック１０ｎでアプリケーションApp2を実行できる。App1は例えば、スマートフォンアプリケーションであり、App2は例えば、ネットワークアプリケーションであり、例えばネットワークブラウザーである。これらのインターネットアクセス設備は、無線ＬＡＮを介してルーター設備２００と接続を構築する。アプリケーションプログラムを実行する過程で、異なるモバイルインターネット端末でのアプリケーションはデータを共有できる。例えば、設備１０１と１０２でクリップボードを共有できる。設備１０１で切り取り操作して生成したクリップボードデータはルーター設備によりキャッシングされ、他の設備１０２或いは１０３にリアルタイムに提供される。設備１０１と１０３は他のデータも共有でき、例えば、プレゼンテーションドキュメントデータを共有することにより、二つ或いはより多い設備の間でリアルタイムにファイルをプレゼンテーションでき、モバイル会議機能を実現する。
【００１８】
他の実施例によると、モバイルインターネット設備例えば設備１０ｎ上のアプリケーションApp2はルーター設備を介してクラウド業務との接続を構築する。これは、例えばルーター設備が共有データに含まれる接続要求に応じてＷＡＮデータを構築して実現する。
【００１９】
図１に示すように、モバイルインターネット設備（ルーター設備）は、無線ＬＡＮモジュール２０１、メモリ２０２、無線ＷＡＮモジュール２０３、ＣＵＰにより実行されるオペレーティングシステム２０４（例えばAndroidオペレーティングシステム或いはlinuxオペレーティングシステム）、データ共有サーバモジュール２０５、データ共有業務モジュール２０６を含む。
【００２０】
無線ＷＡＮモジュール２０３は事業者コアネットワーク及びインターネットと通信する。無線ＬＡＮモジュール２０１は複数のＷｉＤと通信し、例えば、ＷｉＦｉを通じてＬＡＮ通信を行う。メモリ２０２は共有のデータを保存する。当業者は、上記のオペレーティングシステムがlinux或いはAndroidオペレーティングシステムに限られないことを認識すべきである。
【００２１】
データ共有業務モジュール２０６はオペレーティングシステムで実行し、ＷｉＤ設備上のアプリケーションとデータ通信する操作を処理する。データ共有サーバモジュール２０５はオペレーティングシステムで実行し、ＷｉＦｉネットワークトランスポートレイヤでＷｉＤ設備と接続と起動業務を構築する。
【００２２】
上記のモジュールは、ソフトウェアの形式で実現できるが、当業者は、上記のモジュールがハードウェアの形式、例えばFPGA等で実現できることを認識すべきである。
【００２３】
図２は、本発明の実施例に係るルーター設備２００を示す構造模式図である。図２に示すように、本発明の幾つかの実施例によると、無線ＬＡＮモジュール２０１はＷｉＦｉ接続をサポートできる他、有線インターフェースを備える。無線ＷＡＮモジュール２０３は例えば３ＧのようなＷＡＮ通信をサポートできる他、有線インターフェースとＷｉＦｉブリッジングを備え、他の方式でインターネットにアクセスするようにする。
【００２４】
データ共有サーバモジュール２０５は無線ＬＡＮモジュール２０１を介して複数の無線インターネット設備と接続を構築する。データ共有業務モジュール２０６はこの接続に無線インターネット設備で実行するアプリケーションとデータ通信を行う。データ共有サーバモジュール２０５はこのデータ通信をモニターし、当該アプリケーションの共有データを取得する。メモリ２０２は例えばフラッシュメモリ/DDR或いはMicroSD等の記憶装置である。データ共有サーバモジュール２０５は共有データをメモリにキャッシングする。
【００２５】
図２に示すように、スマートフォンアプリケーションとネットワークアプリケーションに対して、データ共有サーバモジュール２０５はデータ共有マネージャー２０５１とインターネット業務コネクター２０５２を含む。但し、当業者は、データ共有サーバモジュール２０５は上記二つのユニット２０５１と２０５２の一つのみを含んでもよく、これは異なるアプリケーションに決められることを認識すべきである。類似するように、スマートフォンアプリケーションとネットワークアプリケーションに対して、データ共有業務モジュール２０６は対応の業務のデータを記憶するスマートフォンアプリケーションコンテナー２０６１とネットワークアプリケーションコンテナー２０６２を含む。
【００２６】
当該実施例によると、データ共有サーバモジュール２０５はデータ共有業務モジュール２０６における予定イベント、例えばある設備起動に関するアプリケーションをモニターし、モニターした予定イベントに応答して、メモリに記憶した共有データを、当該アプリケーションを起動した無線インターネット設備に送信する。
【００２７】
図３は、本発明の実施例に係るデータ通信システムの例示操作を記述するフローチャートである。図３は、本発明の実施例のルーター設備がローカルアクセスを提供する流れを記述する。
【００２８】
ステップＳ３０１で、スマートフォンはそれに配置された無線ＬＡＮモジュールを介してルーター設備との接続を構築する。
【００２９】
ステップＳ３０２で、ルーター設備は無線ＬＡＮモジュール２０１に基づいてデーモンを設立する。
【００３０】
ステップＳ３０３で、スマートフォンはその上のアプリケーションプログラム、例えば共有クリップボードアプリケーションを起動する。
【００３１】
ステップＳ３０４で、ルーター設備はデータ共有サーバモジュール２０５とデータ共有業務モジュール２０６の間でソケット接続を構築して、データ共有業務モジュールと共有クリップボードアプリケーションとの間のデータ通信をモニターすることにより、当該アプリケーションの共有データを取得する。
【００３２】
ステップＳ３０５で、他の設備例えばタブレットＰＣが共有クリップボードアプリケーションを起動し、共有データが当該設備に送信される。
【００３３】
ステップＳ３０６で、ルーター設備は共有データをメモリ２０２にキャッシングする。
【００３４】
ステップＳ３０７で、ルーター設備は当該共有データはＵＲＬであることを見いだし、ローカルＷｅｂ業務起動を触発する。
【００３５】
ステップＳ３０８で、ルーター設備はＷｉＤ設備ローカルＷｅｂアプリケーションポートをモニターする。
【００３６】
ステップＳ３０９で、タブレットＰＣのユーザは当該ＵＲＬをブラウザーのアドレスバーに入力する。
【００３７】
図４は、本発明の実施例に係るデータ通信システムの他の例示操作を記述するフローチャートである。図４は、本発明の実施例のルーター設備がローカルアクセスとモバイルインターネットアクセスを提供する流れを記述する。
【００３８】
ステップＳ４０１で、スマートフォンはそれに配置された無線ＬＡＮモジュールを介してルーター設備との接続を構築する。
【００３９】
ステップＳ４０２で、ルーター設備は無線ＬＡＮモジュール２０１に基づいてデーモンを設立する。
【００４０】
ステップＳ４０３で、スマートフォンはその上のアプリケーションプログラム、例えばネットワークブラウザーを起動する。
【００４１】
ステップＳ４０４で、ルーター設備は、無線インターネット設備のローカルＷｅｂアプリケーションポートをモニターすることにより、共有データを取得する。
【００４２】
ステップＳ４０５で、他の設備例えばノートパソコンがブラウザーを起動し、共有データが当該設備に送信される。
【００４３】
ステップＳ４０６で、ルーター設備は共有データをメモリ２０２にキャッシングする。
【００４４】
ステップＳ４０７で、ルーター設備はローカルＷｅｂ業務起動を触発する。
【００４５】
ステップＳ４０８で、ルーター設備は無線ＷＡＮモジュール２０３によりデータ業務接続を登録する。
【００４６】
ステップＳ４０９で、当該データ業務接続に基づいてクラウド業務とのインタラクティブ操作過程を行う。
【００４７】
図５は、本発明の実施例に係るデータ通信システムのさらに他の例示操作を記述するフローチャートである。図５は、本発明の実施例のルーター設備がローカルアクセスとモバイルインターネットアクセスを提供する他の流れを記述する。
【００４８】
図５に示す流れは、図４に示す流れの上で、ＷＡＮ接続が信頼できるか否かを判断するステップＳ５０９とＳ５１１を増加し、他のステップＳ５０１−Ｓ５０８は図４に示すステップＳ４０１−Ｓ４０８と同じで、ここでは詳細に説明しない。具体的に、ステップＳ５０９で、ＷＡＮ接続が信頼できるか否かを判断し、信頼できれば、ステップＳ５１０を実行し、当該データ業務接続に基づいてクラウド業務とのインタラクティブ操作過程を行う。信頼できなければ、ステップＳ５１１で、無線ＷＡＮ接続状態報告を待ち、データキャッシングステップに戻る。
【００４９】
図６に、本発明の実施例に係るルーター設備の応用実例を示す。
【００５０】
図６に示すように、三つのＷｉＤ設備は、一つのスマートフォン６０１、一つのタブレットＰＣ６０２、一つのノートパソコン６０３を含み、ＷｉＦｉにより一つのルーター設備２００に接続され、三つのＷｉＤ設備間の共有クリップボード業務を構築する。
【００５１】
ルーター設備２００は無線ＬＡＮモジュールに基づいてデーモンを設立する。そして、ルーター設備２００はデータ共有サーバモジュール２０５とデータ共有業務モジュール２０６の共有クリップボード業務の間でソケット接続を構築する。
【００５２】
この時、スマートフォン６０１はあるウェブページを開いて、ウェブページリンクをクリップボードにコピーする。
【００５３】
ルーター設備２００のデーモンは共有クリップボードのデータを捕らえて、当該共有データ即ちウェブページリンクをメモリ２０２にキャッシングする。
【００５４】
この時、タブレットＰＣ６０２はブラウザーを開いて、クリップボードからアドレスバーへデータを貼り付け、スマートフォン６０１で開いたウェブページと同じウェブページを開くことができ、スマートフォン６０１からタブレットＰＣ６０２への共有クリップボード業務を完成する。
【００５５】
ルーター設備２００は、ローカルＷｅｂ業務、即ち共有クリップボードアプリケーションのＷｅｂサーバ起動を触発し、当該アプリケーションのアドレスとhttp通信ポートを設定する。
【００５６】
この時、ノートパソコン６０３はブラウザーを開いて、共有クリップボードＷｅｂアプリケーションを開くかブラウザープラグインをインストールし、当該アプリケーションのアドレスとhttp通信ポートを設定する。
【００５７】
ルーター設備２００はノートパソコン６０３のローカル共有クリップボードＷｅｂアプリケーションポートをモニターする。
【００５８】
この時、ノートパソコン６０３のブラウザーでの共有クリップボードＷｅｂアプリケーション或いはブラウザープラグインはカレント共有クリップボードにおける全ての共有データリストを呈し、ユーザはリストから貼り付けようとする文字内容を選択でき、スマートフォン６０１からノートパソコン６０３への共有クリップボード業務を完成する。
【００５９】
図７は、本発明の実施例に係るルーター設備２００の他の応用実例を示す。
【００６０】
図７に示すように、５名の同僚がそれぞれ自分のＷｉＤ設備を携帯し、スマートフォン７０１、スマートフォン７０２、タブレットＰＣ７０３、タブレットＰＣ７０４、ノートパソコン７０５を含み、ＷｉＦｉにより一つのルーター設備２００に接続され、五つのＷｉＤ設備間の共有プレゼンテーションドキュメント業務を構築する。
【００６１】
ルーター設備２００は無線ＬＡＮモジュールに基づいてデーモンを設立する。この時、五つのＷｉＤ設備がブラウザーを開き、共有プレゼンテーションドキュメントＷｅｂアプリケーションを開く。
【００６２】
ルーター設備２００は五つの設備のローカル共有プレゼンテーションドキュメントＷｅｂアプリケーションポートをモニターする。この時、一人の同僚がノートパソコン７０５からプレゼンテーションドキュメントファイルをルーター設備２００にアップロードする。
【００６３】
ルーター設備２００のデーモンは共有プレゼンテーションドキュメントを捕らえて、当該共有プレゼンテーションドキュメントをメモリ２０２にキャッシングする。
【００６４】
ルーター設備２００は、ローカルＷｅｂ業務即ち共有プレゼンテーションドキュメントアプリケーションのＷｅｂサーバ起動を触発する。この時、五つのＷｉＤ設備のブラウザーでの共有プレゼンテーションドキュメントＷｅｂアプリケーションはカレントプレゼンテーションドキュメントを呈することができ、何れかの同僚がページでのめくり、或いは評論等の操作はhttp通信によりルーター設備２００上の共有プレゼンテーションドキュメントアプリケーションのＷｅｂアプリケーションコンテナーに送り、そしてその他の全ての同僚が閲覧しているページに同期し、複数のＷｉＤ設備間の共有プレゼンテーションドキュメント業務を完成する。
【００６５】
ルーター設備２００は、無線ＷＡＮモジュール２０３によりデータ業務に登録して会社のメールサーバに接続し、プレゼンテーションドキュメントおよび各同僚の評論等の内容をメールサーバ３００にアップロードし、メールサーバ３００は内容を予定の書式で各同僚の仕事メールボックスに送信する。
【００６６】
本発明の実施例によると、モバイルインターネットアクセスポイントは複数のユーザ設備とのデータ共有能力を増加し、直接にAndroid或いはＷｅｂアプリケーションと通信でき、またクラウドのモバイルインターネット業務と通信でき、設備のアクセスをモニターでき、データ共有チャネルを自動的に構築し、且つウェブページに基づくインターネット付加価値業務提供能力を備え、モバイルインターネットアクセスポイントの応用価値を増加する。
【００６７】
以上の詳細記述で、ブロック図、フローチャート及び/又は例示を利用して、モバイルインターネットアクセス設備及び/又は方法の複数の実施例を述べた。このようなブロック図、フローチャート及び/又は例示が一つ或いは複数の機能及び/又は操作を含む場合、当業者は、これらのブロック図、フローチャート又は例示の各機能及び/又は操作は様々なハードウェア、ソフトウェア、ファームウェア、或いは実質的にそれらの任意の組み合わせで単独及び/又は共同で実現することを理解すべきである。本発明の実施例の上記主題の若干の部分は専用集積回路（ASIC）、フィールド  プログラマブルゲートアレイ（FPGA）、デジタル信号プロセッサ（DSP）、或いは他の集積形式で実現できる。しかし、当業者は、ここで開示した実施例のある面は全体的或いは部分的に集積回路に同等に実現でき、一台或いは複数台のコンピュータで実行する一つ或いは複数のコンピュータプログラムとして実現でき（例えば、一台或いは複数台のコンピュータシステムで実行する一つ或いは複数のプログラムとして実現でき）、一つ或いは複数のプロセッサで実行する一つ或いは複数のプログラムとして実現でき（例えば、一つ或いは複数のマイクロプロセッサで実行する一つ或いは複数のプログラムとして実現でき）、ファームウェアとして実現できるか、或いは実質的に上記方式の任意の組み合わせで実現できることを認識すべきであり、且つ当業者は本開示により回路を設計する及び/又はソフトウェア及び/又はファームウェアにコードを書き込む能力を備える。また、当業者は、本開示の上記主題のメカニズムが複数の形式のプログラム製品として配分でき、実際に配分を実行する信号搬送媒体の具体的タイプが如何になっても、本開示の上記主題の例示性実施例は何れも適用できる。信号搬送媒体は、以下のものを含むが、以下のものに限られず、記録可能媒体、例えばフロッピーディスク（登録商標）、ハードディスクドライブ、コンパクトディスク（CD）、デジタルバーサタイルディスク（DVD）、デジタルテープ、コンピュータメモリ等、及び伝送型媒体、例えばデジタル及び/又はアナログ通信媒体（例えば、光ファイバーケーブル、導波管、有線通信リンク、無線通信リンク等）がある。
【００６８】
幾つかの典型的実施例で本発明を記述したが、使用した用語は説明と例示性で、限定的用語ではないことを理解すべきである。本発明は各種の形式で具体的実施でき、発明の精神と実質を離れず、よって、上記実施例は如何なる前記の細部に限定されず、特許請求の範囲で限定した精神と範囲内で広く解釈すべきであるため、特許請求の範囲或いはその同等範囲内にある全ての変化と改善は特許請求の範囲によりカバーされる。
【図１】
2013232894.tif 000003
【図２】
2013232894.tif 000004
【図３】
2013232894.tif 000005
【図４】
2013232894.tif 000006
【図５】
2013232894.tif 000007
【図６】
2013232894.tif 000008
【図７】
2013232894.tif 000009